(57)【特許請求の範囲】
【請求項１】
電子機器の部品搭載パネルに装着され、ハーネスを案内するハーネスガイドと、ハーネス同士を接続するコネクタとを備え、コネクタはハーネスガイドに着脱自在に装着され、
さらに、ハーネス束を保持するハーネスクランプを備え、ハーネスガイドはハーネスクランプを係止する係止部を備え、ハーネスクランプは被係止部を備え、係止部と被係止部とを係止することによりハーネスクランプをハーネスガイドに係止するとともに、
係止部は貫通孔であり、被係止部が係止部を貫通して電子機器の部品搭載パネルに形成された貫通孔に嵌って係止されることを特徴とするハーネスガイド装置。
【請求項２】
ハーネスガイドは、部品搭載パネルに載置される底壁と、底壁に立設された側壁と、コネクタの装着口を有する装着部とを備え、装着口は側壁に形成されており、コネクタは底壁に平行にスライドして側壁に着脱自在なことを特徴とする請求項１に記載のハーネスガイド装置。
【請求項３】
装着部はハーネスガイドの底面に対向する側が開口していることを特徴とする請求項２に記載のハーネスガイド装置。
【請求項４】
ハーネスガイドに装着したハーネスクランプの回転を規制する回転規制部を備えたことを特徴とする請求項１〜３の何れかに記載のハーネスガイド装置。
【請求項５】
請求項１〜４の何れかに記載のハーネスガイド装置を備えたことを特徴とする電子機器。
【請求項６】
記録媒体を搬送する搬送機構を備えた画像形成装置であって、搬送機構は一方の搬送部と他方の搬送部とから構成され、一方の搬送部は画像形成装置本体に設けられており、他方の搬送部は画像形成装置本体に対して回動するものであり、他方の搬送部に請求項１〜４の何れかに記載のハーネスガイド装置を備えた画像形成装置であって、ハーネスクランプを回動支点付近に設けたことを特徴とする画像形成装置。
【発明の詳細な説明】
【技術分野】
【０００１】
本発明は、制御基板等と電子機器本体とを接続するハーネスのハーネスガイド装置、このハーネスガイド装置を備えた電子機器及び画像形成装置に関する。
【背景技術】
【０００２】
従来、電子機器においては、電装部品と、電装部品を制御する制御基板や電源とを接続するハーネスが、電子機器内における可動部分、高温部分及び鋭利な部分に接触して損傷しないように、ハーネスクランプやハーネスガイドでハーネスを案内してハーネスの位置を保持していた。
【０００３】
特許文献１においては、複数のハーネスガイドを連結してハーネスを案内する技術が開示されている。
【０００４】
【特許文献１】特許第３４４１９６５号公報
【発明の開示】
【発明が解決しようとする課題】
【０００５】
しかしながら、特許文献１では、ハーネス同士を接続するコネクタが固定されていないので、コネクタにハーネスを接続する際の作業性に問題がある。
【０００６】
そこで、本発明は、コネクタにハーネスを接続する際の作業性に優れたハーネスガイド装置と、これを備えた電子機器及び画像形成装置の提供を目的とする。
【課題を解決するための手段】
【０００７】
前記課題を解決するために、請求項１に記載された発明は、電子機器の部品搭載パネルに装着され、ハーネスを案内するハーネスガイドと、ハーネス同士を接続するコネクタとを備え、コネクタはハーネスガイドに着脱自在に装着され、さらに、ハーネス束を保持するハーネスクランプを備え、ハーネスガイドはハーネスクランプを係止する係止部を備え、ハーネスクランプは被係止部を備え、係止部と被係止部とを係止することによりハーネスクランプをハーネスガイドに係止するとともに、係止部は貫通孔であり、被係止部が係止部を貫通して電子機器の部品搭載パネルに形成された貫通孔に嵌って係止されていることを特徴とする。
【０００８】
請求項２に記載された発明は、請求項１に記載の発明において、ハーネスガイドは、部品搭載パネルに載置される底壁と、底壁に立設された側壁と、コネクタの装着口を有する装着部とを備え、装着口は側壁に形成されており、コネクタは底壁に平行にスライドして側壁に着脱自在なことを特徴とする。
【０００９】
請求項３に記載された発明は、請求項２に記載の発明において、装着部はハーネスを配置する側の面が開口していることを特徴とする。
【００１０】
請求項４に記載された発明は、請求項１〜３の何れかに記載の発明において、ハーネスガイドに装着したハーネスクランプの回転を規制する回転規制部を備えたことを特徴とする。
【００１３】
請求項５に記載された発明は、請求項１〜４の何れかに記載のハーネスガイド装置を備えたことを特徴とする電子機器である。
【００１４】
請求項６に記載された発明は、記録媒体を搬送する搬送機構を備えた画像形成装置であって、搬送機構は一方の搬送部と他方の搬送部とから構成され、一方の搬送部は画像形成装置本体に設けられており、他方の搬送部は画像形成装置本体に対して回動するものであり、他方の搬送部に請求項１〜４の何れかに記載のハーネスガイド装置を備えた画像形成装置であって、ハーネスクランプを回動支点付近に設けたことを特徴とする画像形成装置。
【発明の効果】
【００１５】
本発明によれば、ハーネスガイドに装着したコネクタにハーネスを接続することができるので、ハーネスをコネクタに安定した状態で確実に接続できる。即ち、コネクタにハーネスを接続する際の作業性に優れている。
【発明を実施するための最良の形態】
【００１６】
以下、添付図面の図１〜図８を参照して、本発明の第１実施の形態を説明する。図１は第１実施の形態に係るハーネスガイド装置の斜視図であり、図２は第１実施の形態に係るハーネスガイドの斜視図であり、図３は第１実施の形態におけるハーネス及びハーネスクランプをハーネスガイドに組み付ける状態を示す断面図であり、図４は第１実施の形態に係る画像形成装置の部品搭載パネルにハーネス及びハーネスガイド装置を組み付けた状態を示す側面図であり、図５は第１実施の形態に係るハーネスガイド装置を装着した画像形成装置の部品搭載パネルを示す斜視図であり、図６は第１実施の形態に係るハーネスガイド装置を装着した画像形成装置の部品搭載パネルの図５に示すＢ−Ｂ断面図であり、図７は第１実施の形態に係る画像形成装置の概略的構成を示す縦断面図であり、図８は第１実施の形態に係る他方の搬送部が画像形成装置本体に対して回動した状態を示す縦断面図である。
【００１７】
第１実施の形態に係るハーネスガイド装置１は、図７に示す画像形成装置（プリンター）３の部品搭載パネル５に装着されるものであり、画像形成装置３は、用紙Ｓにトナー像を転写する転写部５３と、用紙Ｓを供給する給紙部５７と、用紙Ｓを排出する排紙部５９と、用紙Ｓを給紙部５７から転写部５３に搬送する供給搬送路６１と、用紙Ｓを転写部５３から排紙部５９に搬送する排出搬送路６３と、用紙Ｓの両面印刷をするための搬送機構６６とを備えている。
【００１８】
搬送機構６６は、図８に示すように、一方の搬送部７３と他方の搬送部７５とから構成されており、他方の搬送部７５は、部品搭載パネル５の端に設けられたヒンジの軸７７を支点に画像形成装置本体６７に対して回動するようになっている。
【００１９】
一方の搬送部７３は画像形成装置本体６７に設けられており、他方の搬送部７５は部品搭載パネル５の表面に設けられている。部品搭載パネル５の裏面には搬送機構６６の駆動部品や、搬送機構６６の電装部品と、画像形成装置本体６７に設けられた制御基板や電源とを接続するハーネスＨ及びこのハーネスＨを案内するハーネスガイド装置１が設けられている。
【００２０】
ハーネスガイド装置１は、図１に示すように、ハーネスＨを案内するハーネスガイド７と、ハーネスＨ同士を接続するコネクタ９と、ハーネスＨ束を保持するハーネスクランプ１１とを備えている。
【００２１】
ハーネスガイド７は、図２に示すように、画像形成装置３の部品搭載パネル５に載置される底壁１５と、底壁１５の両端に立設された側壁１７と、コネクタ９の装着口１９を有する装着部２１と、ハーネスクランプ１１を係止する係止部２３と、ハーネスガイド７に装着したハーネスクランプ１１の回転を規制する回り止め（回転規制部）２５と、ハーネスＨの抜け落ち防止部２７とを備えている。
【００２２】
底壁１５は所々を切り欠いており、側壁１７は底壁１５の両端に沿って設けられている。ハーネスガイド７の両端及び中間にはハーネスＨの出入り口が設けられている。尚、ハーネスガイド７は樹脂製であり、ハーネスガイド７のハーネスＨを配置する側の面は開放されている。
【００２３】
コネクタ９の装着部２１は、ハーネスガイド７の一端２９側に４つ設けられており、装着部２１の側壁１７にはコネクタ９の装着口１９が形成されている。
【００２４】
各装着部２１の両端には、図１のＡ−Ａ断面図に示すように、コネクタ９が装着部２１から外れないように係止する係止部４０とコネクタ９を底壁側に押さえつける押さえ部３１が設けられている。押さえ部３１は係止部４０の上に設けられていて底壁に対向するように張り出している。各装着部２１の押さえ部３１同士の間は開放されている。即ち、各装着部２１においては、底壁１５に対向する面（ハーネスＨを配置する側の面）が開口している。
【００２５】
ハーネスクランプ１１の係止部２３は、図２に示すように、ハーネスガイド７の他端３７に形成された貫通孔であり、ハーネスクランプ１１の回り止め２５はハーネスガイド７の他端３７の底壁１５に立設されている。
【００２６】
ハーネスＨの抜け落ち防止部２７は、ハーネスガイド７の側壁１７に直角に連続して且つ底壁１５に対向するように張り出して形成されている。抜け落ち防止部２７はハーネスガイド７の所々に複数設けられている。
【００２７】
コネクタ９は、図１に示すように、中央部３９と、弾性を有する両側部（樹脂製の板ばね）４１とを備えている。中央部３９と両側部４１との間には溝４３が形成されている。従って、コネクタ９の両側部４１を押さえて閉じ装着部２１に挿入して両側部４１を離せば、両側部４１は弾性により開き係止部４０に係止されて、コネクタ９を装着部２１に係止できるようになっている。尚、コネクタ９は樹脂製であり、コネクタ９の厚みはハーネスガイド７の側壁１７の高さと同じ位である。
【００２８】
コネクタ９は、ハーネスガイド７の外側からハーネスガイド７の底壁１５に平行にスライドさせて装着でき、且つ、ハーネスガイド７の底壁１５に平行にスライドさせてハーネスガイド７の外側に取り外せるようになっている。
【００２９】
中央部３９の前端及び後端には、ハーネスＨが接続されたソケットを装着する端子部がある。ハーネスＨとコネクタ９の接続は、ソケットを端子部に装着することにより行われる。
【００３０】
ハーネスクランプ１１は、図３に示すように、ハーネス保持部４５と、係止部２３及び部品搭載パネル５に係止される被係止部４７とを備えている。ハーネス保持部４５は上部４９が一端を支点にして回動するようになっており、下部５１にセットしたハーネスＨ束を上部４９と下部５１で挟んで保持できるようになっている。ハーネスＨ束はバインド１３で縛られてからハーネスクランプ１１に保持される。
【００３１】
ハーネスクランプ１１の被係止部４７は、テーパ形状であり、ハーネスガイド７の貫通孔（係止部）２３に挿入されると返しにより抜け落ちないようになっている。
【００３２】
ここで、本実施の形態に係る画像形成装置３の動作を説明する。画像形成装置１は、片面印刷の場合、給紙部５７から供給搬送路６１により転写部５３に搬送された用紙Ｓは、感光体６５によりカラー画像を転写されて、排出搬送路６３により排紙部５９に排出される。一方、両面印刷の場合、給紙部５７から供給搬送路６１により転写部５３に搬送された用紙Ｓは、感光体６５により表面にカラー画像を転写される。次に搬送機構６６により表面と裏面を入れ替えられた用紙Ｓは、再び転写部５３に搬送され感光体６５により裏面にカラー画像を転写されて、排出搬送路６３により排紙部５９に排出される。
【００３３】
次に、ハーネスＨ及びハーネスガイド装置１の組み付け手順を説明する。コネクタ９を接続した電装部品側のハーネスＨを、ハーネスガイド７の開放された一面側から底壁に這いまわすように組み付けていき、コネクタ９をハーネスガイド７の外側から装着部２１にスライドさせて装着する。ハーネスガイド７の他端３７においてハーネスＨをハーネスクランプ１１で固定する。ハーネスガイド７にコネクタ９及びハーネスクランプ１１をセットしたハーネスガイド装置１にハーネスＨを組み付けた状態で、部品搭載パネル５に装着する。装着の際、ハーネスクランプ１１の被係止部４７を部品搭載パネル５のヒンジの軸（回動支点）７７付近に設けられた貫通孔に嵌めて係止する。その後、コネクタ９に画像形成装置本体６７の制御基板側のハーネスＨを接続する。
【００３４】
以下に、第１実施の形態に係るハーネスガイド装置１の作用効果を説明する。本実施の形態によれば、ハーネスガイド７に装着したコネクタ９にハーネスＨを接続することができるので、ハーネスＨを安定した状態で確実にコネクタ９に接続できる。即ち、コネクタ９にハーネスＨを接続する際の作業性に優れている。
【００３５】
ハーネスガイド７の側壁１７の高さと同じ位の厚みのコネクタ９を、ハーネスガイド７の底壁１５に平行にスライドして装着するので、ハーネスガイド７にコネクタ９を装着しても、ハーネスガイド７の側壁１７の高さ方向に突出せず、スペース効率が良い。
【００３６】
装着部２１においては、底壁１５に対向する面（ハーネスＨを配置する側の面）が開口しているので、ハーネスＨをハーネスガイド７に収めつつ、ハーネスＨを接続したコネクタ９を、ハーネスガイド７の外側から装着部２１に容易に着脱できる。
【００３７】
ハーネスクランプ１１をハーネスガイド７の他端３７に設けているので、ハーネスＨをハーネスガイド７に確実に保持させることができる。
【００３８】
ハーネスクランプ１１の回り止め２５を設けているので、ハーネスガイド７にガイドされるハーネスＨの方向を確実に規制できる。
【００３９】
ハーネスクランプ１１の被係止部４７を部品搭載パネル５の貫通孔に嵌めて係止するので、簡易な構成でハーネスガイド７を部品搭載パネル５に確実に固定することができる。
【００４０】
他方の搬送部７５の回動の際に移動量の少ないヒンジの軸（回動支点）７７付近にハーネスクランプ１１を設けてハーネスＨを固定しているので、他の位置にハーネスクランプ１１を設けてハーネスＨを固定した場合に比べて、ハーネスＨに係る回動の負荷を低減することができる。
【００４１】
コネクタ９の両側部４１が弾性を有し、係止部４０との係止及び係止の解除を容易にできるので、コネクタ９を装着部２１から容易に着脱できる。従って、コネクタ９をハーネスガイド７に装着する作業性及びメンテナンス等の際にハーネスガイド７からコネクタ９を取り外す作業性が良い。
【００４２】
ハーネスガイド７の他端３７付近においてバインド１３でハーネスＨの束を縛って、ハーネスＨをハーネスガイド７に組み付ける際の基準を設けているにで、簡易な構成で、ハーネスＨのハーネスガイド７への組み付けの長さ方向の位置精度を高めることができる。
【００４３】
ハーネスＨの抜け落ち防止部２７を設けているので、ハーネスガイド７に組み付けたハーネスＨがハーネスガイド７から抜け落ちることを防止できる。
【００４４】
一体に成型されたハーネスガイド７に、ハーネスＨ、コネクタ９及びハーネスクランプ１１をセットした状態で部品搭載パネル５に装着できるので、ハーネスＨ等を部品搭載パネル５に組み付ける際の作業性が良い。
【００４５】
以下に、本発明の他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００４６】
図９及び図１０に第２実施の形態を示す。本実施の形態では、ハーネスガイド６９は、板金製であり、図９に示すように、縦断面が直線状の第１部分７３と、縦断面がＬ字状の第２部分７５と、縦断面がＬ字状の第３部分７７とを備えている。
【００４７】
第１部分７３の外側にはハーネスクランプ１１が２つ設けられており、第２部分７５の立設部の外側にはコネクタ９及びハーネスクランプ１１が設けられており、第３部分７７の７５立設部の外側にはハーネスクランプ１１が設けられている。尚、コネクタ９は、第２部分７５の立設部に第１実施の形態と同様に着脱自在に設けられており、第２部分７５及び第３部分７７に設けられたハーネスクランプ１１は、ハーネスガイド６９にハーネスＨが出入りする出入り口付近に第１実施の形態と同様に取り付けられている。尚、コネクタ９は、第２部分７５の立設部の外側から装着されるようになっている。
【００４８】
次に、ハーネスＨ及びハーネスガイド装置８１の組み付け手順を説明する。ハーネスガイド６９にコネクタ９及びハーネスクランプ１１を取り付けたハーネスガイド装置８１を、図１０に示すように、部品搭載パネル５に搭載された駆動部７９をまたぐように、部品搭載パネル５に装着する。電装部品側のハーネスＨを、ハーネスガイド６９の内側からコネクタ９に接続して、第１部分７３の外側に沿ってハーネスクランプ１１で固定しながら第３部分７７に向けて組み付けていく。画像形成装置本体６７の制御基板側のハーネスＨを、第２部分７５の立設部の外側からコネクタ９に接続する。
【００４９】
本実施の形態によれば、駆動部７９にハーネスＨが触れることを確実に防止できる。ハーネスクランプ１１が、ハーネスガイド６９におけるハーネスＨの出入り口付近（第２部分７５の立設部及び第３部分７７の立設部）に設けられているので、ハーネスガイド６９にハーネスＨを確実に保持させることができる。
【００５０】
本発明は、上述した実施の形態に限定されること無く、その要旨を逸脱しない範囲で種々変形可能である。
【００５１】
上述の実施の形態では、コネクタ９の両側部４１を樹脂製の板ばねとしているが、これに代えて、両側部を中央部３９と別体にして、両側部と中央部３９とをコイルスプリングで連結して両側部が中央部３９に対して可動するようにしても良い。
【００５２】
ハーネスクランプ１１はハーネスガイド７、６９と別体に設けているが、これに代えて、ハーネスガイド７、６９と一体型にしても良い。
【００５３】
ハーネスクランプ１１の回転規制部として、回り止め２５を設けているが、これに代えて、ハーネスクランプ１１の被係止部４７の形状を十字状にし、係止部２３をこれに嵌合するような形状の貫通孔として、ハーネスクランプ１１の回転を規制しても良い。
【００５４】
第１実施の形態では、ハーネスガイド装置１にハーネスＨを組み付けた状態で部品搭載パネル５に装着しているが、これに代えて、ハーネスガイド装置１を部品搭載パネル５に装着してからハーネスＨを組みつけても良い。
【００５５】
ハーネスガイド装置１をプリンターに設けているが、これに代えて、ハーネスガイド装置１を、コピー機、ファックス等の画像形成装置やハーネスを有するエアコン等の電子機器に設けても良い。
【図面の簡単な説明】
【００５６】
【図１】第１実施の形態に係るハーネスガイド装置の斜視図である。
【図２】第１実施の形態に係るハーネスガイドの斜視図である。
【図３】第１実施の形態におけるハーネス及びハーネスクランプをハーネスガイドに組み付ける状態を示す斜視図である。
【図４】第１実施の形態に係る画像形成装置の部品搭載パネルにハーネス及びハーネスガイド装置を組み付けた状態を示す側面図である。
【図５】第１実施の形態に係るハーネスガイド装置を装着した画像形成装置の部品搭載パネルを示す斜視図である。
【図６】第１実施の形態に係るハーネスガイド装置を装着した画像形成装置の部品搭載パネルの図５に示すＢ−Ｂ断面図である。
【図７】第１実施の形態に係る画像形成装置の概略的構成を示す縦断面図である。
【図８】第１実施の形態に係る他方の搬送部が画像形成装置本体に対して回動した状態を示す縦断面図である。
【図９】第２実施の形態に係るハーネスガイド装置を示す斜視図である。
【図１０】第２実施の形態に係るハーネスガイド装置を画像形成装置の部品搭載パネルに装着した状態を示す斜視図である。
【符号の説明】
【００５７】
１              ハーネスガイド装置
３              画像形成装置
５              部品搭載パネル
７              ハーネスガイド
９              コネクタ
１１            ハーネスクランプ
１３            バインド
１５            底壁
１７            側壁
１９            装着口
２１            装着部
２３            係止部
２５            回り止め（回転規制部）
４７            被係止部
６６            搬送機構
６７            画像形成装置本体
６９            ハーネスガイド
７３            一方の搬送部
７５            他方の搬送部
７７            ヒンジの軸（回動支点）
８１            ハーネスガイド装置
【図１】
0005068613.tif 000002
【図２】
0005068613.tif 000003
【図３】
0005068613.tif 000004
【図４】
0005068613.tif 000005
【図５】
0005068613.tif 000006
【図６】
0005068613.tif 000007
【図７】
0005068613.tif 000008
【図８】
0005068613.tif 000009
【図９】
0005068613.tif 000010
【図１０】
0005068613.tif 000011